(57)【要約】      （修正有）【課題】手動発電の指揮棒を提供する。【解決手段】ハンドルアセンブリ１０と発電アセンブリ２０、発光回路アセンブリ３０及び指揮筒アセンブリ４０からなり、該ハンドルアセンブリはハンドル主体１１とハンドル蓋１２があり、発電アセンブリは、ギアボックス２１と発電モータ２２、蓄電池２３及びクランクハンドル２４があり、発光回路アセンブリは、主回路板３１と副回路板３２及び若干のＬＥＤ灯３３があり、指揮筒アセンブリは延伸長筒４１と内蓋４２及び外蓋４３があり、該発電アセンブリはハンドルアセンブリに設置され、クランクハンドルによりギアボックスが連動されて発電モータが発電し、発光回路アセンブリに対して給電でき、指揮筒アセンブリはハンドルアセンブリの先端に設置され、発光回路アセンブリは指揮筒アセンブリ内に設置され、発電アセンブリにより、ＬＥＤ灯が点灯する。【選択図】図２
0003129821.tif 000002
【実用新案登録請求の範囲】
【請求項１】
主として、
ハンドル主体があるハンドルアセンブリと、
該ハンドル主体に収納され、ギアボックスと発電モータ及びクランクハンドルが含有され、該クランクハンドルの回転により、該ギアボックスが連動されて、発電モータで発電する発電アセンブリと、
該ハンドルアセンブリの先端に結合され、若干のＬＥＤ灯が設けられ、該発電アセンブリからの電力で発光して、該光が指揮筒アセンブリを透過する発光回路アセンブリと、
発光回路アセンブリが収納される指揮筒アセンブリと、
が含有される
ことを特徴とする手動発電の指揮棒。
【請求項２】
ハンドルアセンブリに、ハンドル主体とハンドル蓋が含有され、発電アセンブリに、ギアボックスと発電モータ及びクランクハンドルが含有され、発光回路アセンブリに、主回路板と副回路板及び若干のＬＥＤ灯が含有され、指揮筒アセンブリに、延伸長筒と内蓋及び外蓋が含有され、該発電アセンブリが、ハンドルアセンブリのハンドル主体の収納槽に結合され、また、ハンドル蓋によって覆われて固定され、ハンドル主体の先端に、該指揮筒アセンブリに組み立てるための組立て段が設けられ、該ハンドル蓋に、一側に貫通孔が形成されるクランクハンドル槽が設けられ、該クランクハンドル槽と貫通孔を通して発電アセンブリのクランクハンドルが設置され、また、該ハンドルアセンブリに、制御スイッチが設けられ、該発電アセンブリのクランクハンドルが、該ハンドルアセンブリのハンドル蓋の貫通孔を通して、該ギアボックスに連接され、ギアボックスにより、発電モータが連動され、発電モータが、更に、該発光回路アセンブリに連接され、該クランクハンドルが、貫通孔を介して該ギアボックスを制御し、該ギアボックスにより、該発電モータが発電し、該発光回路アセンブリの主回路板が、長尺で帯状であり、その一端が、該ハンドル主体の収納槽に結合されて該発電アセンブリに連接され、また、間隔を開けて若干のＬＥＤ灯が設けられ、また、端部に、副回路板が結合され、該副回路板が、前へ向かう平面状で、前方に複数のＬＥＤ灯が設けられ、該指揮筒アセンブリが、該延伸長筒により該ハンドル主体の組立て段に結合され、該発光回路アセンブリの長尺で帯状である主回路板が、該延伸長筒によって覆われ、該内蓋が、延伸長筒の先端に覆うように嵌設され、該内蓋に、該副回路板のＬＥＤ灯を通すように、該ＬＥＤ灯に合わせて複数の定位孔が設けられ、外蓋が、延伸長筒の端部に嵌設されることを特徴とする請求項１に記載の手動発電の指揮棒。
【請求項３】
発電アセンブリの発電モータの後方に、該発光回路アセンブリに接続される蓄電池が設けられることを特徴とする請求項１か２に記載の手動発電の指揮棒。
【考案の詳細な説明】
【技術分野】
【０００１】
本考案は、発光することにより警告でき、目を引く交通指揮の指揮棒に関し、特に、乾電池の交換や検査を必要しなく、常に発電できる手動発電の指揮棒に関する。
【背景技術】
【０００２】
交通指揮に指揮棒を利用する場合が多く、主として、目を引く方式により、通行人に道路の状況を提示し、或いは、通行方向を指示し、そのため、指揮棒は、目を引く赤色が多いが、暗黒の時間帯や場所において、赤色だけでは、目を引く目的を実現し難いため、発光を合わせることにより、やっと、夜間で警告する目的を実現でき、そのため、既存の指揮棒は、握り部の前方に中空の赤色指揮筒が結合されることにより構成され、また、握り部に電池が収納され、そして、握り部から指揮筒の先端へ向かって電球が設けられる。
【０００３】
一般、交通指揮の仕事が短時間ではないため、電池だけをエネルギーとして使用する方式は、交通指揮の途中で電力が切れる恐れがある。
【考案の開示】
【考案が解決しようとする課題】
【０００４】
本考案の目的は、交換用乾電池を用意することが必要しなく、常に発光でき、ハンドルアセンブリのクランクハンドルを回すことだけでギアボックスを回転すると、発電モータが、発光回路アセンブリのＬＥＤ灯に発光させる十分の電力を発電でき、指揮棒を使用する途中で電力が切れることを防止でき、より便利的且つより安全的である手動発電の指揮棒を提供する。
【課題を解決するための手段】
【０００５】
請求項１の考案は、主として、ハンドル主体があるハンドルアセンブリと、該ハンドル主体に収納され、ギアボックスと発電モータ及びクランクハンドルが含有され、該クランクハンドルの回転により、該ギアボックスが連動されて、発電モータで発電する発電アセンブリと、該ハンドルアセンブリの先端に結合され、若干のＬＥＤ灯が設けられ、該発電アセンブリからの電力で発光して、該光が指揮筒アセンブリを透過する発光回路アセンブリと、発光回路アセンブリが収納される指揮筒アセンブリと、が含有されることを特徴とする手動発電の指揮棒である。
【０００６】
請求項２の考案は、ハンドルアセンブリに、ハンドル主体とハンドル蓋が含有され、発電アセンブリに、ギアボックスと発電モータ及びクランクハンドルが含有され、発光回路アセンブリに、主回路板と副回路板及び若干のＬＥＤ灯が含有され、指揮筒アセンブリに、延伸長筒と内蓋及び外蓋が含有され、該発電アセンブリが、ハンドルアセンブリのハンドル主体の収納槽に結合され、また、ハンドル蓋によって覆われて固定され、ハンドル主体の先端に、該指揮筒アセンブリに組み立てるための組立て段が設けられ、該ハンドル蓋に、一側に貫通孔が形成されるクランクハンドル槽が設けられ、該クランクハンドル槽と貫通孔を通して発電アセンブリのクランクハンドルが設置され、また、該ハンドルアセンブリに、制御スイッチが設けられ、該発電アセンブリのクランクハンドルが、該ハンドルアセンブリのハンドル蓋の貫通孔を通して、該ギアボックスに連接され、ギアボックスにより、発電モータが連動され、発電モータが、更に、該発光回路アセンブリに連接され、該クランクハンドルが、貫通孔を介して該ギアボックスを制御し、該ギアボックスにより、該発電モータが発電し、該発光回路アセンブリの主回路板が、長尺で帯状であり、その一端が、該ハンドル主体の収納槽に結合されて該発電アセンブリに連接され、また、間隔を開けて若干のＬＥＤ灯が設けられ、また、端部に、副回路板が結合され、該副回路板が、前へ向かう平面状で、前方に複数のＬＥＤ灯が設けられ、該指揮筒アセンブリが、該延伸長筒により該ハンドル主体の組立て段に結合され、該発光回路アセンブリの長尺で帯状である主回路板が、該延伸長筒によって覆われ、該内蓋が、延伸長筒の先端に覆うように嵌設され、該内蓋に、該副回路板のＬＥＤ灯を通すように、該ＬＥＤ灯に合わせて複数の定位孔が設けられ、外蓋が、延伸長筒の端部に嵌設されることを特徴とする請求項１に記載の手動発電の指揮棒である。
【０００７】
請求項３の考案は、発電アセンブリの発電モータの後方に、該発光回路アセンブリに接続される蓄電池が設けられることを特徴とする請求項１か２に記載の手動発電の指揮棒である。
【考案を実施するための最良の形態】
【０００８】
本考案は、図１、２を参照しながら、主として、ハンドルアセンブリ１０と発電アセンブリ２０、発光回路アセンブリ３０及び指揮筒アセンブリ４０からなり、該ハンドルアセンブリ１０は、ハンドル主体１１とハンドル蓋１２があり、発電アセンブリ２０は、ギアボックス２１と発電モータ２２、蓄電池２３及びクランクハンドル２４があり、発光回路アセンブリ３０は、主回路板３１と副回路板３２及び若干のＬＥＤ灯３３があり、指揮筒アセンブリ４０は、延伸長筒４１と内蓋４２及び外蓋４３がある。
【０００９】
図３、４、５を参照しながら、該発電アセンブリ２０は、該ハンドルアセンブリ１０のハンドル主体１１の収納槽１１１に結合され、また、該ハンドル蓋１２により覆われて固定され、また、該ハンドル主体１１は、先端に、該指揮筒アセンブリ４０に組み立てるための組立て段１１２が設けられ、該ハンドル蓋１２は、クランクハンドル槽１２１が設けられ、該クランクハンドル槽１２１は、一側に貫通孔１２２が設けられ、該クランクハンドル槽１２１と貫通孔１２２は、発電アセンブリ２０のクランクハンドル２４を設置するためのものであり、また、該ハンドルアセンブリ１０は、制御スイッチ１２３が設置され、該発電アセンブリ２０のクランクハンドル２４は、該ハンドルアセンブリ１０のハンドル蓋１２の貫通孔１２２を通して、該ギアボックス２１に連接され、該ギアボックス２１により、発電モータ２２が連動され、該発電モータ２２は、蓄電池２３を介して発光回路アセンブリ３０に接続され、該クランクハンドル２４は、折り畳むことにより、全体が該ハンドル蓋１２のクランクハンドル槽１２１に収納され、また、使用する場合、取り出して起立させ、そして、回転することにより、該貫通孔１２２を通してギアボックス２１を制御でき、該ギアボックス２１により、発電モータ２２が快速的に回転して発電し、発生した電力は、蓄電池２３を介して発光回路アセンブリ３０に供給され、或いは、直接に蓄蔵され、該発光回路アセンブリ３０の主回路板３１は、長尺で帯状であり、一端が、該ハンドル主体１１の収納槽１１１に結合されて発電アセンブリ２０に連接され、また、間隔を開けて若干のＬＥＤ灯３３が設けられ、また、端部に、副回路板３２が結合され、該副回路板３２は、前へ向かう平面状で、前方に複数のＬＥＤ灯３３が設けられ、該指揮筒アセンブリは、延伸長筒４１によりハンドル主体１１の組立て段１１２に結合され、一般として、赤色で光透過可能のものであり、該延伸長筒４１を結合した後、発光回路アセンブリ３０の長尺で帯状である主回路板３１が、それによって覆われ、内蓋４２は、延伸長筒４１の先端に嵌設され、副回路板３２のＬＥＤ灯３３に合わせて複数の定位孔４２１が設けられ、該内蓋４２を結合した後、副回路板３２上のＬＥＤ灯３３が定位孔４２１を通して、定位され、そして、副回路板３２が固定され、外蓋４３は、封止するように延伸長筒４１の端部に嵌設され、一般として、赤色で光透過可能のものである。
【００１０】
使用する時、指揮棒を発光する場合、図６のように、クランクハンドル２４を、ハンドル蓋１２のクランクハンドル槽１２１から取り出して、クランクハンドル２４を連続的に回転すると、クランクハンドル２４が直接にギアボックス２１を回転させ、そして、ギアボックス２１により発電モータ２２が快速的に回転して発電し、該電力が蓄電池２３に供給されて蓄蔵され、この時、制御スイッチ１２３を押すと、制御スイッチ１２３を介して、発光回路アセンブリ３０に対して電力が供給され、また、制御スイッチ１２３により、連続的に点灯することや点滅することを制御でき、また、主回路板３１と副回路板３２のＬＥＤ灯３３を、それぞれ点灯することや同時に点灯することを制御でき、これにより、赤色で透過可能の延伸長筒４１を通して赤光を発して警告することができる。
【００１１】
該発光回路アセンブリ３０は、電子素子により、ＬＥＤ灯３３の連続的に点灯することや間歇的に点滅することを制御する。
【００１２】
該発電モータ２２によって生成した電力は、直接に回路アセンブリ３０に供給され、発電する時、電力が余った場合、蓄電池２３によって蓄積され、これにより、ギアボックス２１を回転しなくても、蓄電池２３の電力が切れるまで、ＬＥＤ灯３３が持続的に発光できる。
【００１３】
上記の具体的な実施例によれば、交換用乾電池を用意することが必要しなく、常に発光でき、ハンドルアセンブリ１０のクランクハンドル２４を回すことだけでギアボックス２１を回転すると、発電モータ２２が、発光回路アセンブリ３０のＬＥＤ灯３３に発光させる十分の電力を発電でき、指揮棒を使用する途中で電力が切れることを防止でき、より便利的且つより安全的である。
【図面の簡単な説明】
【００１４】
【図１】本考案の立体組立て図
【図２】本考案の立体分解図
【図３】本考案の他の角度の立体組立てと局部分解図
【図４】本考案の組立て断面図
【図５】本考案の他の角度の組立て断面図
【図６】本考案の発電する時の参考概念図
【符号の説明】
【００１５】
１０      ハンドルアセンブリ
１１      ハンドル主体
１１１    収納槽
１１２    組立て段
１２      ハンドル蓋
１２１    クランクハンドル槽
１２２    貫通孔
１２３    制御スイッチ
２０      発電アセンブリ
２１      ギアボックス
２２      発電モータ
２３      蓄電池
２４      クランクハンドル
３０      発光回路アセンブリ
３１      主回路板
３２      副回路板
３３      ＬＥＤ灯
４０      指揮筒アセンブリ
４１      延伸長筒
４２      内蓋
４２１    定位孔
４３      外蓋
【図１】
0003129821.tif 000003
【図２】
0003129821.tif 000004
【図３】
0003129821.tif 000005
【図４】
0003129821.tif 000006
【図５】
0003129821.tif 000007
【図６】
0003129821.tif 000008